(57)【要約】  脱毛装置と連動する糸枠に個別に取り付けられる使い捨ての糸部品を用いる方法であって、個別に取り付けられる長さと太さとが可変の複数の糸部品を有する第１の糸枠を提供するステップと、個別に取り付けられる長さと太さとが可変の複数の糸部品を有する第２の糸枠とを供給するステップと、前記第１の糸枠の糸部品は前記第２の糸枠の糸部品よりも長く、少なくとも１つの糸部品を前記第１の糸枠から、および少なくとも１つの糸部品を前記第２の糸枠から分離するステップと、対応する前記第１の糸枠および前記第２の糸枠から分離された各糸部品を、脱毛装置、または糸を用いた脱毛の装置に固定するステップとを含む。直線的な方向で第１の糸枠と第２の糸枠とによって固定される、糸を使う脱毛装置で使用するための、個別に取り付けられた使い捨ての複数の糸部品のための装置。
2012516221.tif 000002
【特許請求の範囲】
【請求項１】
実質的に直線的な方向で糸部品を固定する装置であって、
個別に取り付けられた複数の糸部品の第１セットを保持する第１の糸枠と、
個別に取り付けられた複数の糸部品の第２セットを保持する第２の糸枠とを備え、
前記第１セットに係る糸部品は、当該２つの端点のそれぞれに第１の取り付け機構を有し、当該端点で前記第１の糸枠から取り外し可能であり、
前記第２セットに係る糸部品は、当該２つの端点のそれぞれに第２の取り付け機構を有し、当該端点で前記第２の糸枠から取り外し可能であり、
前記複数の糸部品の第１セットは、前記複数の糸部品の第２セットより長いことを特徴とする装置。
【請求項２】
前記第１および第２の取り付け機構は、それぞれ玉状の終端を含むことを特徴とする請求項１に記載の装置。
【請求項３】
前記複数の糸部品の第１および第２セットは、長さおよび太さが可変であることを特徴とする請求項１に記載の装置。
【請求項４】
前記複数の糸部品の第１および第２セットに係る玉状の終端は、金属、木、プラスチック、合金、ポリマーおよび複合材料のうちの１つの被覆物で作られていることを特徴とする請求項２に記載の装置。
【請求項５】
前記第１の糸枠の内部に配置された第１の分割パネルをさらに備え、
前記第１の分割パネルが前記複数の糸部品の第１セットを分割していることを特徴とする請求項１に記載の装置。
【請求項６】
前記第２の糸枠の内部に配置された第２の分割パネルをさらに備え、
前記第２の分割パネルが前記複数の糸部品の第２セットを分割していることを特徴とする請求項５に記載の装置。
【請求項７】
前記第１および第２の糸枠は、前記複数の糸部品の第１および第２セットを固定するための単一の枠に一体化されていることを特徴とする請求項１に記載の装置。
【請求項８】
前記単一の枠は、前記枠の内部に配置された分割パネルを含み、
前記分割パネルは、前記複数の糸部品の第１セットを前記複数の糸部品の第２セットから分離することを特徴とする請求項７に記載の装置。
【請求項９】
前記複数の糸部品の第１セットは、約１３．７センチから１４．５センチの長さであることを特徴とする請求項１に記載の装置。
【請求項１０】
前記第１の糸枠は、約１５．５センチの長さであることを特徴とする請求項１に記載の装置。
【請求項１１】
前記複数の糸部品の第２セットは、約１１．４センチから１２．２センチの長さであることを特徴とする請求項１に記載の装置。
【請求項１２】
前記第２の糸枠は、約１３．１センチの長さであることを特徴とする請求項１に記載の装置。
【請求項１３】
前記第１および第２セットに係る糸部品のそれぞれは、互いに約０．５センチ離れていることを特徴とする請求項１に記載の装置。
【請求項１４】
前記第１および第２の糸枠は、プラスチック、金属、木、合金、ポリマーおよび複合材料の材料のうちの１つで構成されていることを特徴とする請求項１に記載の装置。
【請求項１５】
前記複数の糸部品の第１および第２セットは、綿、ナイロン、羊毛、鋼鉄および針金のうちの１つの材料で構成されていることを特徴とする請求項１に記載の装置。
【請求項１６】
第１および第２の糸枠の形状が鋳型に形成されており、
それぞれの枠を通過して前記玉状の終端に向かう上記鋳型の中へ、適切な物質を上記鋳型に沿って流す射出成形によって、前記第１および第２の糸枠が形成されていることを特徴とする請求項２に記載の装置。
【請求項１７】
実質的に直線的な方向で糸を固定する方法であって、
個別に取り付けられた複数の糸部品の第１セットを保持する第１の糸枠を提供するステップと、
個別に取り付けられた複数の糸部品の第２セットを保持する第２の糸枠を提供するステップとを含み、
前記第１セットに係る糸部品は、当該２つの端点のそれぞれに第１の取り付け機構を有し、当該端点で前記第１の糸枠から取り外し可能であり、
前記第２セットに係る糸部品は、当該２つの端点のそれぞれに第２の取り付け機構を有し、当該端点で前記第２の糸枠から取り外し可能であり、
前記複数の糸部品の第１セットは、前記複数の糸部品の第２セットより長いことを特徴とする方法。
【請求項１８】
前記第１および第２の取り付け機構は、それぞれ玉状の終端を含むことを特徴とする請求項１７に記載の方法。
【請求項１９】
前記複数の糸部品の第１および第２セットは、長さおよび太さが可変であることを特徴とする請求項１７に記載の方法。
【請求項２０】
前記複数の糸部品の第１および第２セットに係る玉状の終端は、金属、木、プラスチック、合金、ポリマーおよび複合材料のうちの１つの被覆物で作られていることを特徴とする請求項１８に記載の方法。
【請求項２１】
前記第１の糸枠の内部に配置された第１の分割パネルを提供するステップをさらに含み、
前記第１の分割パネルが前記複数の糸部品の第１セットを分割していることを特徴とする請求項１７に記載の方法。
【請求項２２】
前記第２の糸枠の内部に配置された第２の分割パネルを提供するステップをさらに含み、
前記第２の分割パネルが前記複数の糸部品の第２セットを分割していることを特徴とする請求項２１に記載の方法。
【請求項２３】
前記第１および第２の糸枠は、前記複数の糸部品の第１および第２セットを固定するための単一の枠に一体化されていることを特徴とする請求項１７に記載の方法。
【請求項２４】
前記単一の枠は、前記枠の内部に配置された分割パネルを含み、
前記分割パネルは、前記複数の糸部品の第１セットを前記複数の糸部品の第２セットから分離することを特徴とする請求項２３に記載の方法。
【請求項２５】
前記複数の糸部品の第１セットは、約１３．７センチから１４．５センチの長さであることを特徴とする請求項１７に記載の方法。
【請求項２６】
前記第１の糸枠は、約１５．５センチの長さであることを特徴とする請求項１７に記載の方法。
【請求項２７】
前記複数の糸部品の第２セットは、約１１．４センチから１２．２センチの長さであることを特徴とする請求項１７に記載の方法。
【請求項２８】
前記第２の糸枠は、約１３．１センチの長さであることを特徴とする請求項１７に記載の方法。
【請求項２９】
前記第１および第２セットに係る糸部品のそれぞれは、互いに約０．５センチ離れていることを特徴とする請求項１７に記載の方法。
【請求項３０】
前記第１および第２の糸枠は、プラスチック、金属、木、合金、ポリマーおよび複合材料の材料のうちの１つで構成されることを特徴とする請求項１７に記載の方法。
【請求項３１】
前記複数の糸部品の第１および第２セットは、綿、ナイロン、羊毛、鋼鉄および針金のうちの１つ材料で構成されていることを特徴とする請求項１７に記載の方法。
【請求項３２】
第１および第２の糸枠の形状が鋳型に形成されており、
それぞれの枠を通過して前記玉状の終端に向かう上記鋳型の中へ、適切な物質を上記鋳型に沿って流す射出成形によって、前記第１および第２の糸枠を形成することを特徴とする請求項１８に記載の方法。
【発明の詳細な説明】
【技術分野】
【０００１】
本発明は、美容、肌、およびエステティックケア用品に関するものである。より具体的には、脱毛装置、または糸を用いた脱毛の装置で使われる糸枠に、個別に取り付けられる使い捨ての糸に関するものである。
【背景技術】
【０００２】
〔関連出願の相互参照〕
本出願は、２００９年１月２９日に出願された６１／１４８１２８号（代理人整理番号１４６０．７０１）の「脱毛装置、または糸を用いた脱毛の装置で使われる糸枠に、個別に取り付けられる使い捨ての糸」と題される米国特許仮出願の利益を享受するものであり、その内容は参照によって本明細書に組み込まれる。
【０００３】
〔背景技術〕
多様な種類の従来装置および技術を用いることによって、人間の毛を除去（すなわち脱毛）できる。ある部位の不要な毛は、部分的にまたは完全に引き抜くことができる（すなわち毛包から）。従来の装置および技術を使うと、毛の除去にはたいてい痛みが伴い、時間がかかり、熟練の技術者、エステティシャン、または他の人手を使って行なわれる。しかし、従来の脱毛装置および技術には問題も多い。
【０００４】
毛を除去するための技術として、糸を使う従来装置および技術がある。ねじった糸、細いワイヤ、または他の繊維をある距離転がすことにより、毛は除去され、周囲の皮膚から引っ張られる（すなわち、毛包からの除去）。また、これは毛が急速に成長して元に戻ることを可能な限り防ぐ。しかし、糸を使うと時間がかかり、非常に熟練し、訓練された技術者が必要である。非常に熟練し、訓練された技術者（例えば、エステティシャン）が必要になることで、糸を使うことは時間がかかるだけでなく、高価で大変な手作業となる。しかも、ある人が糸を使う技術に精通しているとしても、その人自身の身体から自分で脱毛を行うことは困難である。
【０００５】
毛を除去するための糸技術を用いた従来装置で使われる糸部品は、糸巻きを使って、または各糸部品を手で切って厚紙に貼り付けるか、各糸を取り付けるための厚紙に切れ込みを入れることによって、一般的に提供される。これにより、引き延ばされた糸の長さを含めて、手と裸眼によって糸部品の厳密な長さを測ることが困難となる。加えて、ユーザは使用中に糸に触れることを避けられない。これは糸の処理で用いられる糸が有するリスクである。しかも、糸の両端が直線方向において完全に伸びきらないように、糸の両端は切られて、厚紙のスリットにある両端で糸の一端が傾かざるを得ない。
【発明の概要】
【０００６】
前述した先行技術の課題に基づけば、脱毛装置、または糸を用いた脱毛の装置で使われる糸枠に備えられる、個別に取り付けられ、事前に切られ、および事前に測られた使い捨ての糸部品を含む方法および装置の必要性がある。
【０００７】
１つの側面において、本発明は、脱毛装置、または糸を用いた脱毛の装置と連動する糸枠に個別に取り付けられる使い捨ての糸部品を用いる方法を提供する。本発明に係る方法は、個別に取り付けられる長さと太さとが可変の複数の糸部品を有する第１の糸枠を提供するステップと、個別に取り付けられる長さと太さとが可変の複数の糸部品を有する第２の糸枠とを供給するステップと、前記第１の糸枠の糸部品は前記第２の糸枠の糸部品よりも長く、少なくとも１つの糸部品を前記第１の糸枠から、および少なくとも１つの糸部品を前記第２の糸枠から分離するステップと、対応する前記第１の糸枠および前記第２の糸枠から分離された各糸部品を、脱毛装置、または糸を用いた脱毛の装置に固定するステップとを含む。
【０００８】
他の側面において、本発明は、まっすぐの方向で第１の糸枠と第２の糸枠とによって固定される、糸を使う脱毛装置で使用するための、個別に取り付けられた使い捨ての複数の糸部品のための装置を含む。前記第１の糸枠は、端点の近くおよび末端を有する、長さと太さとが可変の複数の糸部品を含み、前記端点の近くおよび末端は、各玉状の終端において前記第１の糸枠から分離され、脱毛装置、または糸を用いた脱毛の装置に適切に固定される覆われた物質の玉状の終端を含む。前記第２の糸枠は、端点の近くおよび末端を有する、長さと太さとが可変の複数の糸部品を含み、前記第２の糸枠の糸部品は前記第１の糸枠の糸部品よりも短く、前記端点の近くおよび末端は、各玉状の終端において前記第２の糸枠から分離され、脱毛装置、または糸を用いた脱毛の装置に適切に固定される覆われた物質の玉状の終端を含む。
【０００９】
これらおよび他の特徴および本発明の利点は、以下の詳細な説明および添付された図面からより明確になるだろう。図面および説明において、符号は本発明のさまざまな特徴を示し、図面および説明の両方において、同一の符号は同一の特徴を参照する。
【００１０】
通常の当業者は、本発明がさまざまな変形例および代替形態の影響を受けやすく、特定の実施形態が図において例示される方法によって示され、詳細に説明されることを認めるだろう。しかし、本発明を特定の開示された形態に限定することを意味せず、むしろ、添付された請求項によって定義されるものとして、本発明の精神および技術範囲に含まれるすべての変形例、等価なもの、および代替例をカバーするものと理解されるべきである。
【図面の簡単な説明】
【００１１】
【図１】本発明に係る互いから分離されたより長い糸部品を保持する第１の糸枠のペアの正面斜視図である。
【図２】本発明に係る、図１の糸枠の上面図である。
【図３】本発明に係る、図１の糸枠から分離されたより長い糸部品を示す平面図である。
【図４】図３のより長い糸部品の端点の近くに係る拡大された断面図である。
【図５】本発明に係る、互いから分離されたより短い糸部品を保持する第２の糸枠のペアの正面斜視図である。
【図６】本発明に係る、図５の糸枠の上面図である。
【図７】本発明に係る、図５の糸枠から分離されたより短い糸部品を示す平面図である。
【図８】図７のより短い糸部品の端点の近くに係る拡大された断面図である。
【図９】図１の糸枠の他の実施形態を正面から見た図である。
【図１０】図５の糸枠の他の実施形態を正面から見た図である。
【図１１】図１および５の糸枠の他の実施形態を正面から見た図である。
【図１２】本発明に係る、脱毛装置、または糸を用いた脱毛の装置の例と連動して用いられる、対応するサイズにした第１および第２の糸枠から分離された長い糸部品のペアと短い糸部品のペアとを示す斜視図である。
【発明を実施するための形態】
【００１２】
本発明の主な利点は、糸部品が０．１ミリ以下で正確に測れるとき、脱毛装置、または糸を用いた脱毛の装置と連動して使われれば、皮膚から毛を除去する際に、糸はぴんと張られて効果的に動作することである。本発明の糸枠に個別に取り付けられて使い捨てが可能な糸は、「脱毛装置（Epilation Device）」の一部として設計される。当該装置は、２００７年５月１５日に出願された米国特許仮出願６０／９３０，３６０号の利益を享受する２００７年１１月１９日に出願された米国特許出願１１／９８６，１４８号に係る「脱毛装置」の一部継続出願である、２００８年６月２６日に出願された米国特許出願１２／１４７，３６７号であり、参照によって本明細書に組み込まれる。ここで開示される糸枠に個別に取り付けられる使い捨ての糸部品は、皮膚から毛を除去するための従来の脱毛装置、または糸を用いた脱毛の装置とともに用いられる。
【００１３】
本発明は、脱毛装置、または糸を用いた脱毛の装置で用いられる糸枠に、個別に取り付けられる使い捨て可能な糸部品を用いる方法に関係する。本発明は、個別に取り付けられる長さと太さとが可変の複数の糸部品１２を有する第１の糸枠１０を含み、個別に取り付けられる長さと太さとが可変の複数の糸部品１６を有する第２の糸枠１４をさらに含む。ここで、第１の糸枠１０の糸部品１２は、第２の糸枠１４の糸部品１６よりも長い。第１の糸枠１０から手で分離される糸部品１２の玉状の終端２４を引っ張ることにより、少なくとも長い糸部品１２の１つは第１の糸枠１０から分離される。同様に、第２の糸枠１４から手で分離される糸部品１６の玉状の終端３０を引っ張ることにより、少なくとも短い糸部品１６の１つは第２の糸枠１４から分離される。対応する第１および第２の糸枠１０、１４から分離された各糸部品１２、１６は、適切な脱毛装置、または糸を用いた脱毛の装置１８（図１２）に固定される。
【００１４】
本発明の方法にしたがって用いられる脱毛装置の例は、図１２に示される。開示される脱毛装置１８は、２つの異なる長さの糸部品を用いる。すなわち、第１および第２の糸枠１０、１４に対応する、長い糸部品１２および短い糸部品１６である。長い糸部品１２は短い糸部品１６に巻き付けられており、両方の糸部品１２および１６の玉状の各端点２４および３０は、脱毛装置１８の４つのアーム３２〜３８に固定されている。例えば、長い糸部品１２は対角の反対側にあるアーム３２〜３４からなる第１のペアに固定されており、短い糸部品は対角の反対側にあるアーム３６〜３８からなる第２のペアに固定されている。これにより、軸のねじりを作り、ぐるぐる巻くまたはねじるために、対応する糸部品１２、１６がねじられる。長い糸部品１２および短い糸部品１６は装置の糸ガイド４０〜４６に固定されていてもよく、玉状の端点２４および３０は糸ガイド４０〜４６に展開され、糸容器４８〜５４に収納される。糸容器４８〜５４はアーム３２〜３８の外側の表面に沿って配置されてもよく、アームの末端３２〜３８に備えられる、くぼみ（recession）、陥没（depression）、ポケットまたは容器として実現されてもよい。
【００１５】
ここで図１および２を参照すると、本発明に係る装置は、端点２０の近くおよび末端２２のある直線方向に、個別に取り付けられた、可変の長さおよび太さの使い捨ての複数の糸部品１２を固定する第１の糸枠１０を含む。端点２０の近くおよび末端２２は、被覆物の玉状の終端２４を含む。これは、第１の糸枠１０から玉状の終端２４を手で引っ張ることにより、または適切な前記の脱毛装置、または糸を用いた脱毛の装置１８（図１２）に固定されることにより、玉状の各終端２４において第１の糸枠１０から分離されてもよい。
【００１６】
各第１の糸枠１０には、第１の糸枠１０のペアを互いに接続できるような形態で、留め金器１１または他の類似の器具を備えていてもよく、脱毛装置、または糸を用いた脱毛の装置とともに使われるための器具の一部として販売される。
【００１７】
図３は、図１および２の第１の糸枠１０から分離された、長さおよび太さが可変である各糸部品１２の平面図であり、脱毛装置、または糸を用いた脱毛の装置とともに利用されるのに適している。図４は、その端点２０の近くにおける図３の各糸部品１２の拡大された断面図である。
【００１８】
ここで、図５および６を参照すると、第２の糸枠１４は、端点２６の近くおよび末端２８を有する、個別に取り付けられた、長さおよび太さが可変である糸部品１６を含む。第２の糸枠１４の糸は、第１の糸枠の糸部品１２よりも短い。端点２６の近くおよび末端２８は、被覆物の玉状の終端３０を含む。これは、第２の糸枠１４から玉状の終端３０を手で引っ張ることにより、または適切な前記の脱毛または糸脱毛器１８（図１２）に固定されることにより、玉状の各終端３０において第２の糸枠１４から分離されてもよい。
【００１９】
各第２の糸枠１４には、第２の糸枠１４のペアを互いに接続できるような形態で、留め金器１５または他の類似の器具を備えていてもよく、脱毛装置、または糸を用いた脱毛の装置とともに使われるための器具の一部として販売される。
【００２０】
図７は、図５および６の第２の糸枠１４から分離された、長さおよび太さが可変である各糸部品１６の平面図であり、脱毛装置、または糸を用いた脱毛の装置とともに利用されるのに適している。図８は、その端点２６の近くにおける図７の各糸部品１６の拡大された断面図である。
【００２１】
図９には、本発明に係る第１の糸枠１０の他の実施形態が示されている。図９に示される本実施形態において、第１の糸枠５６は、枠５６にさらなる支えを追加し、脱毛装置、または糸を用いた脱毛の装置の使用に先立って、まっすぐの方向に個別に取り付けられた長い糸部品６０を維持するため、枠５６の中央に設置された分割パネル５８を含む。
【００２２】
図１０は、本発明にしたがう第２の糸枠１４の他の実施形態である。図１０に示される本実施形態において、第２の糸枠６２は、枠６２にさらなる支えを追加し、脱毛装置、または糸を用いた脱毛の装置の使用に先立って、直線方向に個別に取り付けられた短い糸部品６６を維持するために、枠６２の中央に設置された分割パネル６４を含む。
【００２３】
図１１は、本発明に係る第１および第２の糸枠１０および１４のさらなる他の実施形態を示している。図１１に示される本実施形態において、第１および第２の糸枠１０および１４は、脱毛装置、または糸を用いた脱毛の装置と共に使うため、直線方向に個別に取り付けられた複数の長い糸部品６０および短い糸部品６６の双方を固定する単一の枠に、一緒に連結されている。単一の枠６８は、長い糸部品６０と短い糸部品６６とを分離し、枠６８にさらなる支えを追加するために、枠６８の中央へ設置される分割パネル７０を含む。
【００２４】
本発明の方法にしたがって使われる、対応する第１および第２の糸枠１０、１４、５６、６２、６８に、個別に取り付けられる糸部品１２、１６、６０、６６は、さらなる使用がないように使い捨てられることを想定しており、これにより糸を使った脱毛作業では清潔な糸部品のペアが使用される。
【００２５】
短い糸および長い糸部品１２、１６、６０、６６のそれぞれの長さは、図１２で図示されるタイプの脱毛装置１８のアーム３２〜３８の２つの対角の組の長さに依存する比率で、他方に比例して測られる。長い糸部品１２、６０は、短い糸部品１６、６６に巻き付けられている場合があり、双方の糸部品は両方の端点にアーム３２〜３８の前述の対角の各組へ固定されている。各アーム３２〜２８の糸ガイド４０〜４６の幅は、ぴんと張り、収納するために、約２ミリである。
【００２６】
図１２に示される脱毛装置の例における長い糸部品１２、６０は、糸枠１０、５６、６８における両端点までが約１３．７センチ、および約１４．５センチであってよい。第１の糸枠１０、５６は約１５．５センチの長さであり、対応する枠の高さは各枠における糸部品１２、６０の番号で変化する。図１２に示される脱毛装置の例における長い糸部品１６、６６は、両端点までが約１１．４センチ、および約１２．２センチであってよい。第２の糸枠１４、６２は約１３．１センチの長さであり、それぞれ枠の高さは各枠に対する糸部品１６、６６の番号で変化する。個別に取り付けられた糸部品１２、１６、６０、６６同士の間の距離または幅は、枠１０、１４、５６、６２、６８において糸が互いに接触しないように、約０．５センチであってもよい。
【００２７】
第１および第２の糸枠１０、１４、５６、６２、６８は、プラスチック、金属（すなわち、鋼鉄、鉄、チタンなど）、木、合金、ポリマー（すなわち、プラスチックおよびそれの共重合体などとしてのポリエチレン）、複合材料、または他の自然あるいは合成の材料、またはこれらの組み合わせで構成されてもよい。第１および第２の糸枠１０、１４、５６、６２、６８に対応する糸部品１２、１６、６０、６６は、綿、ナイロン、羊毛、鋼鉄、針金、または他の細い自然あるいは合成の、脱毛に適した繊維で構成されていてもよい。長い糸および短い糸部品１２、１６、６０、６６の玉状の終端２４、３０、７２、７４、７６は、金属（すなわち、鋼鉄、鉄、チタンなど）、木、プラスチック、合金、ポリマー（すなわち、プラスチックおよびそれの共重合体などとしてのポリエチレン）、複合材料、または他の自然あるいは合成の材料、またはこれらの組み合わせなどの被覆物で構成されてもよい。
【００２８】
第１のおよび第２の糸枠１０、１４、５６、６２、６８は、上記で開示された適切な物質による射出成形によってもよく、このとき注入された物質（すなわち、プラスチック）は、糸部品１２、１６、６０、６６を玉状の終端２４、３０、７２、７４、７６の双方の鋳型に埋め込む鋳型に沿って流れ、対応する枠自体に至る。射出成形の過程は枠の中央部から始まり、枠の残り部分に接続される、例えばプラスチックのような注入されるものでもある。これは、糸枠を形成するための鋳型の中を、どのように注入された物質が流れるかである。あるいは、枠の太さが細すぎ、かつ、十分に深くないときは、プラスチックの注入は固くなり、糸を囲むための完全な枠を形成するのに十分に流れない。
【図１】
2012516221.tif 000003
【図２】
2012516221.tif 000004
【図３】
2012516221.tif 000005
【図４】
2012516221.tif 000006
【図５】
2012516221.tif 000007
【図６】
2012516221.tif 000008
【図７】
2012516221.tif 000009
【図８】
2012516221.tif 000010
【図９】
2012516221.tif 000011
【図１０】
2012516221.tif 000012
【図１１】
2012516221.tif 000013
【図１２】
2012516221.tif 000014
【国際調査報告】
2012516221.tif 000015